(57)【要約】点火装置のための棒状点火コイル（１１）、特に自動車の内燃機関内の点火コイルとしての棒状点火コイルが永続的に機能確実であるように形成されている。棒状点火コイル（１１）が、中心位置内に内側の磁気的な鉄心としてコア（１４）を、かつプラスチック製のケーシング（１３）に外側の磁気的な鉄心として磁束帰路管（１８）を有している。磁束帰路管（１８）とケーシング（１３）との間に、棒状点火コイル（１１）における部分放電の回避のために、充填体（２２）が、磁束帰路管（１８）とケーシング（１３）との間に隙間のない緊密な結合を形成するように取付けられている。
2005507058.tif 000002
【特許請求の範囲】
【請求項１】
点火装置のための棒状点火コイル、特に自動車の内燃機関の点火コイルとしての棒状点火コイルであって、円筒状の基本形状を有するケーシング（１３）を備えており、該ケーシング内にはその中心位置に、内側の磁気的な鉄心としてコア（１４）が支承されており、該コアに、外側の磁気的な鉄心として磁束帰路体（１８）が支承されてる形式のものにおいて、ケーシング（１３）と磁束帰路体（１８）との間に充填体（２２）が配置されていることを特徴とする、点火装置のための棒状点火コイル。
【請求項２】
充填体（２２）がケーシング（１３）の外側（２１）に取付けられていることを特徴とする、請求項１記載の棒状点火コイル。
【請求項３】
充填体（２２）がケーシング（１３）の内側（１９）に取付けられていることを特徴とする、請求項１記載の棒状点火コイル。
【請求項４】
充填体（２２）が熔融接着剤から成ることを特徴とする、請求項１から３までのいずか１項記載の棒状点火コイル。
【請求項５】
充填体（２２）がポリオレフィン製の熔融接着剤から成ることを特徴とする、請求項４記載の棒状点火コイル。
【請求項６】
充填体（２２）がポリアミド製の熔融接着剤から成ることを特徴とする、請求項４記載の棒状点火コイル。
【請求項７】
充填体（２２）がシリコーンをベースにした熔融接着剤から成ることを特徴とする、請求項４記載の棒状点火コイル。
【請求項８】
充填体（２２）がエポキシ樹脂層から成ることを特徴とする、請求項１から３までのいずれか１項記載の棒状点火コイル。
【請求項９】
充填体（２２）としてのエポキ樹脂層が導電性であることを特徴とする、請求項８記載の棒状点火コイル。
【請求項１０】
充填体（２２）としてのエポキシ樹脂層が電気的に絶縁性であることを特徴とする、請求項８記載の棒状点火コイル。
【請求項１１】
充填体（２２）がケーシング（１３）の外側（２１）に取り付けられた収縮ホースから成ることを特徴とする、請求項２記載の棒状点火コイル。
【発明の詳細な説明】
【０００１】
背景技術
本発明は請求項１の上位概念に記載した形式の点火装置のための棒状点火コイル、特に自動車の内燃機関内の点火コイルから出発している。
【０００２】
ドイツ連邦共和国特許第１９６２３３９９Ｃ２号明細書によれば、円筒形の基本形状を有するケーシングを備えた棒状点火コイルが公知である。ケーシング内とコイル組の内部とには中心位置に、開かれた磁気回路の棒状のコアが配置されている。磁界の案内のためにコイル組は絶縁体を介して、縦方向スリツトを備えたスリーブ状の磁束帰路管によって取り囲まれており、該磁束帰路管はケーシングの内側に、または択一的に外側に配置されている。この磁束帰路管の役目は棒状点火コイルの磁界を閉じることにある。
【０００３】
製作技術的にどうしても避け得ない磁束帰路管とケーシングとの形状不正確によって、ケーシングに磁束帰路管が接した際に両者間に空気によって充填された中空スペースが生じる。この欠陥箇所には棒状点火コイルの運転時に部分放電が発生し、この部分放電が長期的に見て材料侵食により棒状点火コイルの絶縁性を悪化させて棒状点火コイルの故障を招くおそれがある。
【０００４】
発明の利点
これに対して、請求項１の特徴概念に記載の特徴を備えた本発明による点火装置のための点火コイルが有する利点とするところは、上述の不都合が回避されることにある。そのことのために、棒状点火コイルは磁束帰路管とケーシングとの間に充填体が配置されるごとくに形成されている。この充填体によってケーシングは隙間なく磁束帰路管に密着し、その結果、棒状点火コイルの運転時に部分放電が発生せず、棒状点火コイルがその絶縁性の悪化による故障から保護される。
【０００５】
従属請求項には本発明の実現のための有利な構成が記載されている。
【０００６】
次に、本発明の１実施例を図面に示し、以下の記載で詳細に説明する。
【０００７】
実施例の説明
図１に記載の点火装置のための、特に自動車の内燃機関内の点火コイルとしての棒状点火コイル（Ｓｔａｂｓｐｕｌｅ）は、一般的であるため図示しないが、内燃機関のシリンダヘッド内の受容孔内に挿入された点火栓との直接的な接触結合のために設けられている。
【０００８】
棒状点火コイルはプラスチック製のケーシング１３内に軸線１２に対して同軸的な配置で細長い円筒状のコア１４（Ｉコアとも呼ばれる）を有している。該コア１４は積層された磁化可能な材料から成り、かつ開い磁気回路の一部を形成している。該コア１４の周りには低電圧を案内する一次コイル１６が内側に、かつ高電圧を案内する二次コイル１７が外側に同軸的に配置されている。
【０００９】
コイル１６，１７は棒状点火コイル１１の磁界の案内のために、磁化可能な材料から成る磁束帰路管１８によって囲まれており、該磁束帰路管はケーシング１３の内側１９に支承されている。択一的に磁束帰路管１８はケーシング１３の外側２１に取付けられてもよい。磁束帰路管１８は磁界の短絡を妨げるために縦軸線１２に対して平行にスリットを有している。
【００１０】
磁束帰路管１８とケーシング１３との間、ここに図示された本実施例では磁束帰路管１８とケーシング１３の内側１９との間には充填体２２が配置されている。この充填体２２は熔融接着剤として形成されており、かつ例えばポリオレフィン（Ｐｏｌｙｏｌｅｆｉｎ）、ポリアミドから、またはシリコーンをベースにした材料から成る。
【００１１】
さらに、充填体２２は導電性でも電気的に絶縁性でもよいエポキシ樹脂層から成ることができ、かつケーシング１３または磁束帰路管１８に取付けられている。
【００１２】
択一的に、充填体２２は磁束帰路管１８がケーシング１３を囲んでいる場合には、特に充填体２２が収縮ホースから成る場合にはケーシング１３の外側２１に取付けられる。
【００１３】
いずれにしろ、充填体２２によって磁束帰路管１８とケーシング１３との間に隙間のない緊密な結合が生じる。磁束帰路管１８とケーシング１３との間の中空スペースを回避することにより、棒状点火コイル１１の運転時に該コイルにおける電気的な部分放電が回避される。このことにより、棒状点火コイル１１がその絶縁の悪化によって故障することが回避される。
【図面の簡単な説明】
【図１】
棒状点火コイルを縦断面で示す図であって、その際、磁束帰路管と棒状点火コイルのケーシングとの間の充填体が見やすさのため過大寸法で図示されている。
【国際公開パンフレット】
2005507058.tif 000003
2005507058.tif 000004
2005507058.tif 000005
2005507058.tif 000006
2005507058.tif 000007
2005507058.tif 000008
2005507058.tif 000009
2005507058.tif 000010
2005507058.tif 000011
【国際調査報告】
2005507058.tif 000012
2005507058.tif 000013
2005507058.tif 000014
2005507058.tif 000015
2005507058.tif 000016
2005507058.tif 000017